(57)【特許請求の範囲】
【請求項１】
流体圧機器に並設した二つのポートに、交換可能に装着する配管接続用のワンタッチ継手及びめねじ付き継手を有し、
上記各ポートの挿入口にシールを介して挿入するワンタッチ継手の挿入部を有し、
上記各挿入口に対するめねじ付き継手の挿入部の構造を、上記ワンタッチ継手の挿入部と同構造とし、且つ二つのめねじ付き継手を連結部材を介して一体に連結固定し、
各継手の挿入部を抜脱しないように係止するために、各継手の挿入部の外周に係止用凹溝を周設し、流体圧機器の本体部材を通して挿入したＵ型ピンの脚部を該係止用凹溝に嵌挿係止させる手段を用いた、
ことを特徴とする流体圧機器用配管継手。
【請求項２】
並設した二つのポートに圧力流体が切換え供給される流体圧機器を、５ポート電磁切換弁とした、
ことを特徴とする請求項１に記載の流体圧機器用配管継手。
【発明の詳細な説明】
【０００１】
【発明の属する技術分野】
本発明は、５ポート電磁切換弁の出力ポートのように、並設した二つのポートにそれぞれ配管を接続する必要があるような流体圧機器の配管継手に関するものであり、さらに詳しくは、いわゆるワンタッチ継手を装着するための並設した二つのポートに対して、めねじ付きの継手をも簡易に装着できるようにした流体圧機器用の配管継手に関するものである。
【０００２】
【従来の技術】
従来から一般的に知られている電磁切換弁では、Ａ及びＢの二つの出力ポートに対して配管するための継手として、ワンタッチ継手を用いるもの、あるいは、めねじ付きの継手を用いるものなどがあり、それらの選択要素のある複数製品がメーカーにおいて個別的に用意され、供給されている。
しかしながら、これらの配管継手のみを異にする複数の製品を個別的に供給することは、製造及び流通段階における在庫の種類や数の増加を招き、しかも、他の選択要素、例えば電磁切換弁のソレノイドに対する給電線の接続形態や接続方向等の各種類をも選択できるようにすると、製造及び流通段階における上記在庫の種類や数は著しく増加することになる。
【０００３】
このような問題に対処するには、上記電磁切換弁等の流体圧機器において、Ａ及びＢの並設する二つのポートに対して装着するワンタッチ継手とめねじ付きの継手とを交換可能に装着することが、容易に想到できる。しかしながら、上記ワンタッチ継手は、ポートにおける継手の挿入口にシールを介して挿入し、抜脱しないように固定するだけでよい（回転可）が、めねじ付きの継手では、配管のためのおねじ部材のねじ込みに対応できるように、そのめねじ付きの継手を回転しないように固定する必要があるため、この回転を抑止するための手段を考慮する必要があり、結果的に、それだけ構造の複雑化、部品点数や加工工程の増加を招き、コストを高める可能性がある。
【０００４】
【発明が解決しようとする課題】
本発明の技術的課題は、上記電磁切換弁等の流体圧機器の二つのポートにおける継手の挿入口に、配管のための継手として、ワンタッチ継手及びめねじ付きの継手を交換可能に装着するに際し、ワンタッチ継手は、従来例と同様に上記挿入口にシールを介して挿入し、抜脱しないように固定するだけとし、めねじ付きの継手については、配管のためのおねじ部材のねじ込み時にもその継手が回転しないように固定できるようにした流体圧機器用配管継手を得ることにある。
また、本発明の他の技術的課題は、上述した流体圧機器用配管継手を極めて簡単な構造のものとして安価に提供可能にすることにある。
【０００５】
【課題を解決するための手段】
上記課題を解決するための本発明の流体圧機器用配管継手は、流体圧機器に並設した二つのポートに、交換可能に装着する配管接続用のワンタッチ継手及びめねじ付き継手を有し、上記各ポートの挿入口にシールを介して挿入するワンタッチ継手の挿入部を有し、上記各挿入口に対するめねじ付き継手の挿入部の構造を、上記ワンタッチ継手の挿入部と同構造とし、且つ二つのめねじ付き継手を連結部材を介して一体に連結固定し、各継手の挿入部を抜脱しないように係止するために、各継手の挿入部の外周に係止用凹溝を周設し、流体圧機器の本体部材を通して挿入したＵ型ピンの脚部を該係止用凹溝に嵌挿係止させる手段を用いたことを特徴とするものである。
【０００６】
上記流体圧機器用配管継手においては、上記流体圧機器としては、二つのポートに圧力流体が切換え供給される５ポート電磁切換弁を好適に用いることができる。
【０００７】
上記構成を有する配管継手は、流体圧機器の本体部材における一対のポートの継手挿入口にそれぞれワンタッチ継手を装着して使用するときには、従来例と同様に、ポートにおける継手挿入口にワンタッチ継手の挿入部を挿入し、該挿入部に周設した係止用凹溝に、上記本体部材を通して挿入したＵ型ピンの脚部を嵌挿係止させればよく、これによりワンタッチ継手が本体部材における継手挿入口に抜脱しないように固定される。
この場合、ワンタッチ継手が上記挿入口中でその軸線の周りに回転することになるが、配管の接続その他の操作において何ら支障を来すことはない。
【０００８】
一方、上記流体圧機器における一対のポートの継手挿入口にめねじ付きの継手を装着して使用するときには、連結部材を介して一体に連結した二つのめねじ付き継手の挿入部を、一対のポートにおける継手挿入口に挿入し、上記ワンタッチ継手の場合と同様にして、該挿入部に周設した係止用凹溝に、本体部材を通して挿入したＵ型ピンの脚部を嵌挿係止させればよく、これにより、各めねじ付き継手が本体部材における継手挿入口に抜脱しないように固定され、しかも、二つのめねじ付き継手は連結部材を介して一体に連結固定しているので、配管のためのおねじ部材のねじ込み時にも、その継手が回転しないように固定される。
【０００９】
このようなワンタッチ継手及びめねじ付き継手は、本体部材におけるワンタッチ継手の挿入口をそのまま利用して交換可能に取り付けることができ、しかも、めねじ付き継手は単にその二つを一体化しておくという極めて簡単な手段で、それらの継手が回転しないように固定することができ、そのため、流体圧機器にワンタッチ継手あるいはめねじ付きの継手を取付けた製品をメーカーが個別的に用意する必要がなく、製品を安価に供給することが可能になる。
【００１０】
【発明の実施の形態】
図１ないし図３は、本発明に係る配管継手を備えた電磁切換弁の実施例を示している。
この切換弁は、主弁１１と、２個のパイロット電磁弁１２Ａ，１２Ｂとを有するパイロット弁部１２とを備えた５ポートのダブルパイロット式切換弁として構成したもので、それらの多数を底蓋１３によって図示しないＤＩＮレール上に連設可能としたものである。
【００１１】
上記主弁１１は、上記底蓋１３を取付けた弁本体１５と、その弁本体１５の一端面に取付けたピストン箱１６と、その弁本体１５の他端面に取付けたエンドプレート１８とを備えている。この弁本体１５は、複数の弁本体１５の連設方向に貫通し、それらの連設により相互に連通せしめられる圧縮空気の供給通路Ｐ、第１及び第２排出通路ＥＡ，ＥＢ、並びにパイロット供給通路ｐｓを備え、また、上記ピストン箱１６及びエンドプレート１８を取付けた両端面間を貫通し、上記供給通路Ｐ、並びに第１及び第２排出通路ＥＡ，ＥＢと連通する弁孔２０を備えている。そして、弁孔２０に開口する供給通路Ｐと排出通路ＥＡ，ＥＢとの間に第１及び第２出力口２２Ａ，２２Ｂを開設し、弁孔２０に、第１及び第２出力口２２Ａ，２２Ｂを供給通路Ｐと排出通路ＥＡ，ＥＢとに切り換えて連通させる弁体２４が、摺動可能に挿入されている。
【００１２】
上記エンドプレート１８の外面側には、第１及び第２出力ポートＡ，Ｂが上下方向に並べて開設されており、これらの出力ポートＡ，Ｂは、弁本体１５内に形成した通路によって前記第１及び第２出力口２２Ａ，２２Ｂにそれぞれ連通させている。図１に示す切換弁は、これらの出力ポートＡ，Ｂにおける継手挿入口２６Ａ，２６Ｂに、いわゆるワンタッチ継手２８の挿入部２８ａをそれぞれシール２８ｂを介して装着した場合を示し、図２及び図３は、それらの出力ポートＡ，Ｂにおける継手挿入口２６Ａ，２６Ｂに、めねじ付き継手３０の挿入部３０ａをシール３０ｂを介して装着した場合を示している。
上記ワンタッチ継手２８は、圧力流体用の可撓チューブ（図示省略）を挿入したときに該チューブに爪が係止し、リリースブッシュ２９を押圧するとチューブの係止が解除されて、チューブを抜き取ることができる周知のものである。また、上記めねじ付き継手３０は、配管のためのおねじ部材をねじ込むためのめねじ３１を有し、二つの出力ポートＡ，Ｂに装着する継手３０の一対を連結部材３２を介して一体に連結固定したものである。
【００１３】
出力ポートＡ，Ｂにおける継手挿入口２６Ａ，２６Ｂにワンタッチ継手２８及びめねじ付き継手３０を抜脱しないように装着するため、上記ワンタッチ継手２８及びめねじ付き継手３０の挿入部２８ａ，３０ａの外周には係止用凹溝３３を周設し、一方、流体圧機器の本体部材であるエンドプレート１８には、挿入したＵ型ピン３５の一対の脚部３５ａ（図３を参照）を該凹溝３３に嵌挿係止させる取付溝３４を設け、該取付溝３４及び上記係止用凹溝３３へのＵ型ピン３５の挿入により、シール２８ｂ，３０ｂを介して、ワンタッチ継手２８及びめねじ付き継手３０を着脱可能に取付けている。
【００１４】
上記ワンタッチ継手２８は、継手挿入口２６Ａ，２６Ｂ中でその軸線の周りに回転することになるが、配管の接続その他の操作において何ら支障を来すことはない。
一方、上記めねじ付き継手３０は、上記ワンタッチ継手の場合と同様にして、係止用凹溝３３にエンドプレート１８の取付溝３４を通して挿入したＵ型ピン３５により抜脱しないように係止させるが、連結部材３２を介して二つのめねじ付き継手３０を一体に連結しているので、めねじ３１に対する配管のためのおねじ部材のねじ込み時にも、その継手が回転することはない。
【００１５】
上記ピストン箱１６に形成された第１ピストン室４１Ａには第１ピストン４２Ａが、またエンドプレート１８に形成された第２ピストン室４１Ｂには第２ピストン４２Ｂが、それぞれ気密に摺動可能に挿入されており、第１パイロット出力通路４５Ａから第１ピストン室４１Ａにパイロット流体を供給すると、第１ピストン４２Ａと弁体２４が図において右動し、供給通路Ｐと第１出力口２２Ａ、及び第２出力口２２Ｂと第２排出通路ＥＢが連通するので、第１出力ポートＡから圧力流体が出力される。また、第２パイロット出力通路４５Ｂから第２ピストン室４１Ｂにパイロット流体を供給すると、第２ピストン４２Ｂと弁体２４が左動し、供給通路Ｐと第２出力口２２Ｂ及び第１出力口２２Ａと第１排出通路ＥＡが連通するので、第２出力ポートＢから圧力流体が出力される。
【００１６】
パイロット弁部１２における第１、第２パイロット電磁弁１２Ａ，１２Ｂは、パイロット入口通路４４、パイロット出口通路４５Ａ，４５Ｂ及びパイロット排気通路４６を備え、ソレノイド４９Ａ，４９Ｂの励磁とその解除によって、パイロット出口通路４５Ａ，４５Ｂをパイロット入口通路４４とパイロット排気通路４６とに切り換えて連通させる周知の常閉形３ポート電磁弁として構成されている。
これらのパイロット電磁弁１２Ａ，１２Ｂのパイロット入口通路４４は、パイロット弁本体５０、ピストン箱１６及び弁本体１５に形成した通路によってパイロット供給通路ｐｓに連通し、電磁弁１２Ａのパイロット出口通路は、第１パイロット出力通路４５Ａによって第１ピストン室４１Ａに連通し、電磁弁１２Ｂのパイロット出口通路は、第２パイロット出力通路４５Ｂによって第２ピストン室４１Ｂに連通し、電磁弁１２Ａ，１２Ｂのパイロット排気通路４６はパイロット排出通路ｐｅに連通している。
【００１７】
パイロット弁本体５０及びピストン箱１６に設けた第１、第２手動操作子５１Ａ，５１Ｂは、常時はばねにより突出方向に付勢されて押圧可能に設けられ、停電等の事故によってソレノイド４９Ａ，４９Ｂによる弁体２４の駆動ができなくなったとき、それらの押圧により、パイロット供給通路ｐｓをパイロット出力通路４５Ａ，４５Ｂに連通させ、弁体２４を駆動するものである。
【００１８】
以上においては、本発明に係る配管継手を５ポート電磁切換弁において用いた場合について説明したが、上記配管継手は、並設した二つのポートに圧力流体が切換え供給される各種流体圧機器に適用することができる。
【００１９】
【発明の効果】
以上に詳述した本発明の流体圧機器用配管継手によれば、電磁切換弁等の流体圧機器の二つのポートにおける継手の挿入口に、配管のための継手として、ワンタッチ継手及びめねじ付きの継手を交換可能に装着するに際し、ワンタッチ継手は、従来例と同様に、上記挿入口にシールを介して挿入し、抜脱しないように固定するだけとしながら、めねじ付きの継手については、配管のためのおねじ部材のねじ込み時にもその継手が回転しないように固定することができる。しかも、上述した流体圧機器用配管継手を極めて簡単な構造のものとして安価に提供することができる。
【図面の簡単な説明】
【図１】本発明に係る配管継手を備えた電磁切換弁で、出力ポートにワンタッチ継手を取付けた状態の断面図である。
【図２】同めねじ付き継手を取付けた状態の断面図である。
【図３】図２に示す電磁切換弁の一部分解斜視図である。
【符号の説明】
２６Ａ，２６Ｂ  継手挿入口
２８    ワンタッチ継手
２８ａ  挿入部
２８ｂ  シール
３０    めねじ付き継手
３０ａ  挿入部
３０ｂ  シール
３２    連結部材
３３    係止用凹溝
３５    Ｕ型ピン
３５ａ  脚部
Ａ，Ｂ  ポート
【図１】
0004045366.tif 000002
【図２】
0004045366.tif 000003
【図３】
0004045366.tif 000004